(57)【要約】【課題】デジタル中継放送所について、放送波中継またはＴＴＬ中継のどちらを用いるかという中継方式の判定と、電波の劣化を補償する補償器種別の判定とを行うための作業時間の短縮化を図る。【解決手段】計算参照データメモリ７００は、電界リスト、ｃｈリスト及び遅延時間リストを有する。中継方式判定部５００は、実測値または電界リストを用いて、妨害波のＤ／Ｕ値を出力する。そして、妨害波のＤ／Ｕ値（信号ｈ）と、希望波及び妨害波の到来時間（信号ｃ）に基づいて、妨害波を、アナログ妨害波、ＳＦＮ妨害波及びＳＦＮ妨害波以外のデジタル妨害波に判別した情報（信号ｉ）を出力する。次に、情報（信号ｉ）及びＤ／Ｕ値に基づいて、中継方式及び補償器の種別が一定の条件を満たすまで、他の受信空中線について中継方式判定部５００内の処理を繰り返す。【選択図】図１
2010028593.tif 000002
【特許請求の範囲】
【請求項１】
地上デジタル放送の中継放送所の回線を評価する地上デジタル放送回線干渉評価装置において、
所定の基準時間と各中継放送所における電波発射時間との間の時刻差である電波発射遅延時間を有する遅延時間リスト、及び、希望波または妨害波を発生させる局と回線が評価される対象となる検討局との間の距離である伝播距離を有する電界リストを備えた計算参照データメモリと、
複数の受信空中線のうち、選択された受信空中線の指向性を用いて、フェージング時のＤ／Ｕ計算を行い、妨害波のＤ／Ｕ値を出力するＤ／Ｕ演算部と、
前記電界リストの伝播距離に基づいて伝播時間を計算し、当該伝播時間と前記遅延時間リストの電波発射遅延時間とに基づいて、希望波及び妨害波の到来時間を出力する遅延時間演算部と、
前記Ｄ／Ｕ演算部により出力された前記妨害波のＤ／Ｕ値と、前記遅延時間演算部から出力された前記希望波及び妨害波の到来時間に基づいて、妨害波を、アナログ妨害波、ＳＦＮ妨害波及びＳＦＮ妨害波以外のデジタル妨害波に判別した情報を出力するＳＦＮ範囲演算部と、
前記ＳＦＮ範囲演算部により出力された、アナログ妨害波、ＳＦＮ妨害波及びＳＦＮ妨害波以外のデジタル妨害波に判別した情報及び前記Ｄ／Ｕ値に基づいて、放送波中継かＴＴＬ中継かを示す中継方式及び放送波中継である場合に用いる補償器の種別情報を出力する中継方式・補償器演算部と、
前記中継方式・補償器演算部により出力された前記中継方式及び補償器の種別情報が一定の条件を満たすまで、前記Ｄ／Ｕ演算部、前記ＳＦＮ範囲演算部及び前記中継方式・補償器演算部における処理の実行を、前記選択された受信空中線以外の他の受信空中線について開始させる計算結果検討部と、
前記計算結果検討部により一定の条件を満たすと判定された中継方式及び補償器の種別情報を表示する決定部と、
を備えたことを特徴とする地上デジタル放送回線干渉評価装置。
【請求項２】
請求項１に記載の地上デジタル放送回線干渉評価装置において、
前記計算参照データメモリは、各中継放送所におけるデジタル・アナログの送信ｃｈを有するｃｈリストを更に備え、
前記ｃｈリストから、前記検討局のデジタル・アナログ送受信ｃｈを出力する送受信ｃｈ抽出部と、
前記送受信ｃｈ抽出部により出力されたデジタル受信ｃｈを参照し、当該デジタル受信ｃｈに隣接するデジタル送信ｃｈ及びアナログ送信ｃｈの有無を判定し、前記デジタル受信ｃｈ、前記隣接するデジタル送信ｃｈ及びアナログ送信ｃｈを含む送受信ｃｈリストを出力する隣接ｃｈ抽出部と、
前記隣接ｃｈ抽出部により出力された送受信ｃｈリストを用いて、送信チャンネルと受信チャンネルが同じ場合をＳＦＮ放送中継とし、異なる場合をＭＦＮ放送中継として、ＳＦＮ放中・ＭＦＮ放中の判定情報を出力するＳＦＮ放中・ＭＦＮ放中判定部と、を更に備え、
前記中継方式・補償器演算部は、アナログ妨害波、ＳＦＮ妨害波及びＳＦＮ妨害波以外のデジタル妨害波に判別した情報及び前記Ｄ／Ｕ値に加え、前記ＳＦＮ放中・ＭＦＮ放中判定部により出力されたＳＦＮ放中・ＭＦＮ放中の判定情報に基づいて、中継方式及び補償器の種別情報を出力する、
ことを特徴とする地上デジタル放送回線干渉評価装置。
【請求項３】
請求項２に記載の地上デジタル放送回線干渉評価装置において、
前記決定部は、前記中継方式及び補償器の種別情報に加え、前記隣接ｃｈ抽出部により出力された送受信ｃｈリストを表示する、
ことを特徴とする地上デジタル放送回線干渉評価装置。
【請求項４】
請求項１に記載の地上デジタル放送回線干渉評価装置において、
前記電界リストは、希望波の電界値と妨害波の電界値それぞれに対して、電界値の５０％値または最頻度値で表された到来電界値及び当該電波が陸上または海上のどちらを通ってきたかを指す伝播路種別を更に有し、
前記電界リストの希望波の伝播距離に基づいて、ダウンフェージング値を出力する第１のフェージング演算部と、
前記電界リストの妨害波の伝播距離及び伝播路種別に基づいて、アップフェージング値を出力する第２のフェージング演算部と、を更に備え、
前記Ｄ／Ｕ演算部は、前記第１のフェージング演算部により出力されたダウンフェージング値、前記電界リストの希望波の到来電界値、前記第２のフェージング演算部により出力されたアップフェージング値、及び前記電界リストの妨害波の到来電界値に基づいて、妨害波のＤ／Ｕ値を出力する、
ことを特徴とする地上デジタル放送回線干渉評価装置。
【請求項５】
所定の基準時間と各中継放送所における電波発射時間との間の時刻差である電波発射遅延時間を有する遅延時間リスト、及び、希望波または妨害波を発生させる局と回線が評価される対象となる検討局との間の距離である伝播距離を有する電界リストを用いて、前記中継放送所における地上デジタル放送回線を評価する方法において、
複数の受信空中線のうち、選択された受信空中線の指向性を用いて、フェージング時のＤ／Ｕ計算を行い、妨害波のＤ／Ｕ値を出力するステップと、
前記電界リストの伝播距離に基づいて伝播時間を計算し、当該伝播時間と前記遅延時間リストの電波発射遅延時間とに基づいて、希望波及び妨害波の到来時間を出力するステップと、
前記妨害波のＤ／Ｕ値と、前記希望波及び妨害波の到来時間に基づいて、妨害波を、アナログ妨害波、ＳＦＮ妨害波及びＳＦＮ妨害波以外のデジタル妨害波に判別した情報を出力するステップと、
前記アナログ妨害波、ＳＦＮ妨害波及びＳＦＮ妨害波以外のデジタル妨害波に判別した情報及び前記Ｄ／Ｕ値に基づいて、放送波中継かＴＴＬ中継かを示す中継方式及び放送波中継である場合に用いる補償器の種別情報を出力するステップと、
前記中継方式及び前記補償器の種別が一定の条件を満たすまで、前記Ｄ／Ｕ値を出力するステップ、前記妨害波を、アナログ妨害波、ＳＦＮ妨害波及びＳＦＮ妨害波以外のデジタル妨害波に判別した情報を出力するステップ及び前記放送波中継かＴＴＬ中継かを示す中継方式及び放送波中継である場合に用いる補償器の種別情報を出力するステップの実行を、前記選択された受信空中線以外の他の受信空中線について開始させるステップと、
前記一定の条件を満たすと判定した中継方式及び補償器の種別情報を表示するステップと、
を有することを特徴とする地上デジタル放送回線干渉評価方法。
【請求項６】
所定の基準時間と各中継放送所における電波発射時間との間の時刻差である電波発射遅延時間を有する遅延時間リスト、及び、希望波または妨害波を発生させる局と回線が評価される対象となる検討局との間の距離である伝播距離を有する電界リストを用いて、前記中継放送所における地上デジタル放送回線を評価する地上デジタル放送回線干渉評価プログラムであって、コンピュータに、
複数の受信空中線のうち、選択された受信空中線の指向性を用いて、フェージング時のＤ／Ｕ計算を行い、妨害波のＤ／Ｕ値を出力するステップと、
前記電界リストの伝播距離に基づいて伝播時間を計算し、当該伝播時間と前記遅延時間リストの電波発射遅延時間とに基づいて、希望波及び妨害波の到来時間を出力するステップと、
前記妨害波のＤ／Ｕ値と、前記希望波及び妨害波の到来時間に基づいて、妨害波を、アナログ妨害波、ＳＦＮ妨害波及びＳＦＮ妨害波以外のデジタル妨害波に判別した情報を出力するステップと、
前記アナログ妨害波、ＳＦＮ妨害波及びＳＦＮ妨害波以外のデジタル妨害波に判別した情報及び前記Ｄ／Ｕ値に基づいて、放送波中継かＴＴＬ中継かを示す中継方式及び放送波中継である場合に用いる補償器の種別情報を出力するステップと、
前記中継方式及び前記補償器の種別が一定の条件を満たすまで、前記Ｄ／Ｕ値を出力するステップ、前記妨害波を、アナログ妨害波、ＳＦＮ妨害波及びＳＦＮ妨害波以外のデジタル妨害波に判別した情報を出力するステップ及び前記放送波中継かＴＴＬ中継かを示す中継方式及び放送波中継である場合に用いる補償器の種別情報を出力するステップの実行を、前記選択された受信空中線以外の他の受信空中線について開始させるステップと、
前記一定の条件を満たすと判定した中継方式及び補償器の種別情報を表示するステップと、
を実行させることを特徴とする地上デジタル放送回線干渉評価プログラム。
【発明の詳細な説明】
【技術分野】
【０００１】
本発明は、地上デジタル放送回線干渉評価装置、評価方法及び評価プログラムに関し、特に、デジタル中継放送所について、放送波中継またはＴＴＬ（Ｔｒａｎｓｍｉｔｔｅｒ  ｔｏ  Ｔｒａｎｓｍｉｔｔｅｒ  Ｌｉｎｋ）中継のどちらを用いるかという中継方式の判定と、電波の劣化を補償する補償器種別の判定とを行う技術に関する。
【背景技術】
【０００２】
従来、地上デジタル放送の中継方式は、放送サービスを行う放送電波そのものを通信回線として利用する方式と、専用の無線通信回線（ＴＴＬ）を利用する方式とがある。この放送電波そのものを通信回線として利用する場合を放送波中継という。そして、放送波中継を行う場合、この放送電波に通信回線として劣化が見られるときには、等化器などの補償器を使用する。しかし、補償器を使用しても劣化が大きい場合には、中継方式をＴＴＬとしてきた。
【０００３】
従来の中継方式の検討は、電界計算ソフトで検討する空中線を選択し、そこから計算された希望波・妨害波のＤ／Ｕ（希望波と妨害波の強さの比）を人間により確認し、放送波中継が可能か否かの判断を行ってきた。そして、放送波中継において、電波の劣化が見られる場合には、使用する補償器の種別を人間により判定していた。また、妨害波がＳＦＮ波（Ｓｉｎｇｌｅ  Ｆｒｅｑｕｅｎｃｙ  Ｎｅｔｗｏｒｋ：単一周波数ネットワーク、希望波と同じチャンネル及びメディアによる同一周波数のデジタル妨害波）となるかについては、妨害波を発生させた放送局の電波発射遅延時間に手計算で伝播時間を加え、検討を行ってきた。更に、デジタル受信チャンネルの隣接チャンネルにデジタル送信チャンネルまたはアナログ送信チャンネルが存在する場合には、混信を起こす可能性があるため、隣接チャンネルとの関係についても人間が確認し検討を行ってきた。
【０００４】
尚、中継方式及び補償器種別を判定する技術には直接関係しないが、地上デジタル放送信号の伝送方式については、例えば、非特許文献１に記載されている。また、ＣＮ比（キャリアとノイズの比）などを用いて地上デジタル放送信号を評価する技術については、例えば、特許文献１〜３に記載されている。
【０００５】
【非特許文献１】地上デジタルテレビジョン放送の伝送方式、標準規格  ＡＲＩＢ  ＳＴＤ−Ｂ３１、社団法人  電波産業会
【特許文献１】特開２００６−２４６０８３号公報
【特許文献２】特開２００６−２４６０８２号公報
【特許文献３】特開２００６−１５７３３３号公報
【発明の開示】
【発明が解決しようとする課題】
【０００６】
しかしながら、従来の中継方式及び補償器種別の検討は、人間による確認作業が必須であった。このため、特に、空中線を変えて検討を行う場合には、電界計算ソフトで再度計算を行い、上記作業を繰り返す必要があるため、検討作業に多大な時間を要していた。
【０００７】
そこで、前記課題を解決するため、本発明の目的は、デジタル中継放送所について、放送波中継またはＴＴＬ中継のどちらを用いるかという中継方式の判定と、電波の劣化を補償する補償器種別の判定とを行うための作業時間の短縮化を図ることが可能な地上デジタル放送回線干渉評価装置、評価方法及び評価プログラムを提供することにある。
【課題を解決するための手段】
【０００８】
前記課題を解決するため、請求項１の発明は、地上デジタル放送の中継放送所の回線を評価する地上デジタル放送回線干渉評価装置において、所定の基準時間と各中継放送所における電波発射時間との間の時刻差である電波発射遅延時間を有する遅延時間リスト、及び、希望波または妨害波を発生させる局と回線が評価される対象となる検討局との間の距離である伝播距離を有する電界リストを備えた計算参照データメモリと、複数の受信空中線のうち、選択された受信空中線の指向性を用いて、フェージング時のＤ／Ｕ計算を行い、妨害波のＤ／Ｕ値を出力するＤ／Ｕ演算部と、前記電界リストの伝播距離に基づいて伝播時間を計算し、当該伝播時間と前記遅延時間リストの電波発射遅延時間とに基づいて、希望波及び妨害波の到来時間を出力する遅延時間演算部と、前記Ｄ／Ｕ演算部により出力された前記妨害波のＤ／Ｕ値と、前記遅延時間演算部から出力された前記希望波及び妨害波の到来時間に基づいて、妨害波を、アナログ妨害波、ＳＦＮ妨害波及びＳＦＮ妨害波以外のデジタル妨害波に判別した情報を出力するＳＦＮ範囲演算部と、前記ＳＦＮ範囲演算部により出力された、アナログ妨害波、ＳＦＮ妨害波及びＳＦＮ妨害波以外のデジタル妨害波に判別した情報及び前記Ｄ／Ｕ値に基づいて、放送波中継かＴＴＬ中継かを示す中継方式及び放送波中継である場合に用いる補償器の種別情報を出力する中継方式・補償器演算部と、前記中継方式・補償器演算部により出力された前記中継方式及び補償器の種別情報が一定の条件を満たすまで、前記Ｄ／Ｕ演算部、前記ＳＦＮ範囲演算部及び前記中継方式・補償器演算部における処理の実行を、前記選択された受信空中線以外の他の受信空中線について開始させる計算結果検討部と、前記計算結果検討部により一定の条件を満たすと判定された中継方式及び補償器の種別情報を表示する決定部と、を備えたことを特徴とする。
【０００９】
また、請求項２の発明は、請求項１に記載の地上デジタル放送回線干渉評価装置において、前記計算参照データメモリが、各中継放送所におけるデジタル・アナログの送信ｃｈを有するｃｈリストを更に備え、前記ｃｈリストから、前記検討局のデジタル・アナログ送受信ｃｈを出力する送受信ｃｈ抽出部と、前記送受信ｃｈ抽出部により出力されたデジタル受信ｃｈを参照し、当該デジタル受信ｃｈに隣接するデジタル送信ｃｈ及びアナログ送信ｃｈの有無を判定し、前記デジタル受信ｃｈ、前記隣接するデジタル送信ｃｈ及びアナログ送信ｃｈを含む送受信ｃｈリストを出力する隣接ｃｈ抽出部と、前記隣接ｃｈ抽出部により出力された送受信ｃｈリストを用いて、送信チャンネルと受信チャンネルが同じ場合をＳＦＮ放送中継とし、異なる場合をＭＦＮ放送中継として、ＳＦＮ放中・ＭＦＮ放中の判定情報を出力するＳＦＮ放中・ＭＦＮ放中判定部と、を更に備え、前記中継方式・補償器演算部が、アナログ妨害波、ＳＦＮ妨害波及びＳＦＮ妨害波以外のデジタル妨害波に判別した情報及び前記Ｄ／Ｕ値に加え、前記ＳＦＮ放中・ＭＦＮ放中判定部により出力されたＳＦＮ放中・ＭＦＮ放中の判定情報に基づいて、中継方式及び補償器の種別情報を出力する、ことを特徴とする。
【００１０】
また、請求項３の発明は、請求項２に記載の地上デジタル放送回線干渉評価装置において、前記決定部が、前記中継方式及び補償器の種別情報に加え、前記隣接ｃｈ抽出部により出力された送受信ｃｈリストを表示する、ことを特徴とする。
【００１１】
また、請求項４の発明は、請求項１に記載の地上デジタル放送回線干渉評価装置において、前記電界リストが、希望波の電界値と妨害波の電界値それぞれに対して、電界値の５０％値または最頻度値で表された到来電界値及び当該電波が陸上または海上のどちらを通ってきたかを指す伝播路種別を更に有し、前記電界リストの希望波の伝播距離に基づいて、ダウンフェージング値を出力する第１のフェージング演算部と、前記電界リストの妨害波の伝播距離及び伝播路種別に基づいて、アップフェージング値を出力する第２のフェージング演算部と、を更に備え、前記Ｄ／Ｕ演算部が、前記第１のフェージング演算部により出力されたダウンフェージング値、前記電界リストの希望波の到来電界値、前記第２のフェージング演算部により出力されたアップフェージング値、及び前記電界リストの妨害波の到来電界値に基づいて、妨害波のＤ／Ｕ値を出力する、ことを特徴とする。
【００１２】
また、請求項５の発明は、所定の基準時間と各中継放送所における電波発射時間との間の時刻差である電波発射遅延時間を有する遅延時間リスト、及び、希望波または妨害波を発生させる局と回線が評価される対象となる検討局との間の距離である伝播距離を有する電界リストを用いて、前記中継放送所における地上デジタル放送回線を評価する方法において、複数の受信空中線のうち、選択された受信空中線の指向性を用いて、フェージング時のＤ／Ｕ計算を行い、妨害波のＤ／Ｕ値を出力するステップと、前記電界リストの伝播距離に基づいて伝播時間を計算し、当該伝播時間と前記遅延時間リストの電波発射遅延時間とに基づいて、希望波及び妨害波の到来時間を出力するステップと、前記妨害波のＤ／Ｕ値と、前記希望波及び妨害波の到来時間に基づいて、妨害波を、アナログ妨害波、ＳＦＮ妨害波及びＳＦＮ妨害波以外のデジタル妨害波に判別した情報を出力するステップと、前記アナログ妨害波、ＳＦＮ妨害波及びＳＦＮ妨害波以外のデジタル妨害波に判別した情報及び前記Ｄ／Ｕ値に基づいて、放送波中継かＴＴＬ中継かを示す中継方式及び放送波中継である場合に用いる補償器の種別情報を出力するステップと、前記中継方式及び前記補償器の種別が一定の条件を満たすまで、前記Ｄ／Ｕ値を出力するステップ、前記妨害波を、アナログ妨害波、ＳＦＮ妨害波及びＳＦＮ妨害波以外のデジタル妨害波に判別した情報を出力するステップ及び前記放送波中継かＴＴＬ中継かを示す中継方式及び放送波中継である場合に用いる補償器の種別情報を出力するステップの実行を、前記選択された受信空中線以外の他の受信空中線について開始させるステップと、前記一定の条件を満たすと判定した中継方式及び補償器の種別情報を表示するステップと、を有することを特徴とする。
【００１３】
また、請求項６の発明は、所定の基準時間と各中継放送所における電波発射時間との間の時刻差である電波発射遅延時間を有する遅延時間リスト、及び、希望波または妨害波を発生させる局と回線が評価される対象となる検討局との間の距離である伝播距離を有する電界リストを用いて、前記中継放送所における地上デジタル放送回線を評価する地上デジタル放送回線干渉評価プログラムであって、コンピュータに、複数の受信空中線のうち、選択された受信空中線の指向性を用いて、フェージング時のＤ／Ｕ計算を行い、妨害波のＤ／Ｕ値を出力するステップと、前記電界リストの伝播距離に基づいて伝播時間を計算し、当該伝播時間と前記遅延時間リストの電波発射遅延時間とに基づいて、希望波及び妨害波の到来時間を出力するステップと、前記妨害波のＤ／Ｕ値と、前記希望波及び妨害波の到来時間に基づいて、妨害波を、アナログ妨害波、ＳＦＮ妨害波及びＳＦＮ妨害波以外のデジタル妨害波に判別した情報を出力するステップと、前記アナログ妨害波、ＳＦＮ妨害波及びＳＦＮ妨害波以外のデジタル妨害波に判別した情報及び前記Ｄ／Ｕ値に基づいて、放送波中継かＴＴＬ中継かを示す中継方式及び放送波中継である場合に用いる補償器の種別情報を出力するステップと、前記中継方式及び前記補償器の種別が一定の条件を満たすまで、前記Ｄ／Ｕ値を出力するステップ、前記妨害波を、アナログ妨害波、ＳＦＮ妨害波及びＳＦＮ妨害波以外のデジタル妨害波に判別した情報を出力するステップ及び前記放送波中継かＴＴＬ中継かを示す中継方式及び放送波中継である場合に用いる補償器の種別情報を出力するステップの実行を、前記選択された受信空中線以外の他の受信空中線について開始させるステップと、前記一定の条件を満たすと判定した中継方式及び補償器の種別情報を表示するステップと、を実行させることを特徴とする。
【発明の効果】
【００１４】
以上のように、本発明によれば、デジタル中継放送所について、放送波中継またはＴＴＬ中継のどちらを用いるかという中継方式の判定と、電波の劣化を補償する補償器種別の判定とを行うための作業時間の短縮化を図ることができる。
【発明を実施するための最良の形態】
【００１５】
以下、本発明を実施するための最良の形態について図面を用いて詳細に説明する。地上デジタル放送は、運行装置を経由し、放送所（親局）から複数の中継放送所やＴＴＬを介してコンテンツを配信する。
【００１６】
〔地上デジタル放送回線干渉評価装置〕
まず、地上デジタル放送回線干渉評価装置の構成、及び各構成部の処理について説明する。図１は、本発明の実施形態による地上デジタル放送回線干渉評価装置の構成を示すブロック図である。この地上デジタル放送回線干渉評価装置１は、ｃｈ関係抽出部１００、遅延時間演算部２００、希望波電界計算部３００、妨害波電界計算部４００、中継方式判定部５００、決定回路６００及び計算参照データメモリ７００を備えている。
【００１７】
地上デジタル放送回線干渉評価装置１は、地上デジタル放送の中継放送所の回線を評価する。より詳しくは、デジタル中継放送所について、放送波中継またはＴＴＬ中継のどちらを用いるかという中継方式の判定と電波の劣化を補償する補償器種別の判定とを行う。尚、以下の説明において、「検討局」とは、本発明の実施形態における中継方式及び補償器種別の判定の対象となる局のことを指す。
【００１８】
計算参照データメモリ７００は、電波のチャンネルに関する情報であるｃｈリスト、電波の遅延時間に関する情報である遅延時間リスト、希望波及び妨害波に関する情報である電界リストを有する。これらのリストは、予めオペレータにより準備され、計算参照データメモリ７００に格納されているものとする。ｃｈ関係抽出部１００は、ｃｈリスト及び電界リストを用いて、検討局の受信に使用するチャンネルの近辺に送信に使用するチャンネルがないかを判定し、この判定結果を送受信ｃｈリスト（信号ｂ）として中継方式判定部５００及び決定回路６００へ出力する。遅延時間演算部２００は、電界リスト及び遅延時間リストを用いて、希望波及び妨害波の到来時間（信号ｃ）を中継方式判定部５００へ出力する。
【００１９】
希望波電界計算部３００は、電界リストを用いて、希望波のダウンフェージング値Ｆｍ１（信号ｄ）及び到来電界値（信号ｅ）を中継方式判定部５００へ出力する。妨害波電界計算部４００は、電界リストを用いて、妨害波のアップフェージング値Ｆｍ２（信号ｆ）及び到来電界値（信号ｇ）を中継方式判定部５００へ出力する。
【００２０】
中継方式判定部５００は、実測値、または、希望波電界計算部３００及び妨害波電界計算部４００により出力された希望波のダウンフェージング値Ｆｍ１（信号ｄ）及び到来電界値（信号ｅ）並びに妨害波のアップフェージング値Ｆｍ２（信号ｆ）及び到来電界値（信号ｇ）を用いて、妨害波のＤ／Ｕ値（信号ｈ）を出力する。そして、妨害波のＤ／Ｕ値（信号ｈ）と、遅延時間演算部２００により出力された希望波及び妨害波の到来時間（信号ｃ）とに基づいて、妨害波を、アナログ妨害波、ＳＦＮ妨害波及びＳＦＮ妨害波以外のデジタル妨害波に判別した情報（信号ｉ）を出力する。次に、アナログ妨害波、ＳＦＮ妨害波及びＳＦＮ妨害波以外のデジタル妨害波に判別した情報及びＤ／Ｕ値に基づいて、放送波中継かＴＴＬ中継かを示す中継方式及び放送波中継である場合に用いる補償器の種別情報（信号ｋ）を出力する。次に、中継方式及び補償器の種別が一定の条件を満たすまで、選択された受信空中線以外の他の受信空中線について中継方式判定部５００内の処理を繰り返す。
【００２１】
決定回路６００は、中継方式判定部５００により一定の条件を満たし最適であると判定された、検討局の中継方式及び補償器種別、並びに隣接ｃｈの関係を画面に表示する。
【００２２】
以下に、各構成部の処理について、より詳しく説明する。
〔計算参照データメモリ〕
以下、地上デジタル放送回線干渉評価装置１の各構成部について説明する。計算参照データメモリ７００は、ｃｈリスト、遅延時間リスト及び電界リストを備えている。
【００２３】
ｃｈリストは、全中継放送所の局名、局コード及び各中継放送所におけるメディア、デジタルの送信ｃｈ及びアナログの送信ｃｈを有する。ここで、局名と局コードは１対１に対応する。以下の説明においても同様である。
【００２４】
遅延時間リストは、全中継放送所の局名、局コード及び各中継放送所における電波発射遅延時間を有する。ここで、電波発射遅延時間とは、運行装置からの遅延時間が４１２ｍｓとなる時間を基準時間とし、その基準時間と各中継放送所における電波発射時間との間の時刻差である。
【００２５】
電界リストは、検討局の局名、局コード、希望波・妨害波をそれぞれ発生させる局名、局コード、メディア、到来電界値（ｄＢμＶ/ｍ）、伝播距離、伝播方向、伝播路種別、自由空間電界強度の値を有する。ここで、希望波とは、コンテンツを配信する電波であり、妨害波とは、希望波以外の電波である。また、メディアとは、当該電波がアナログ波であるかデジタル波であるかの種別を含む放送事業者を指し、例えば、アナログ波のメディアには、ＡＧ（アナログ総合）、ＡＥ（アナログ教育）、ＡＰ１（アナログ民放１）などがあり、デジタル波のメディアには、ＤＧ（デジタル総合）、ＤＥ（デジタル教育）、ＤＰ１（デジタル民放１）などがある。また、到来電界値（ｄＢμＶ/ｍ）とは、希望波の電界値と妨害波の電界値それぞれに対して、電界値の５０％値または最頻度値で表す。また、伝播距離及び伝播方向とは、希望波または妨害波を発生させる局と回線が評価される対象となる検討局との間の距離及び方向を指す。また、伝播路種別とは、当該電波が陸上または海上のどちらを通ってきたかを指す。また、自由空間電界強度とは、自由空間における電界強度の最大値を指す。なお、電界リストは、送信局及び受信局をリスト化して、公知の電界計算ソフトウェアに読み込ませ、検討局毎に作成しておく。
【００２６】
〔ｃｈ関係抽出部〕
ｃｈ関係抽出部１００は、送受信ｃｈ抽出回路１１０及び隣接ｃｈ抽出回路１２０を備えている。送受信ｃｈ抽出回路１１０は、計算参照データメモリ７００内のｃｈリスト及び電界リストを入力する。そして、送受信ｃｈ抽出回路１１０は、電界リストにおける検討局の局コード及びｃｈリストから、検討局の送信ｃｈを特定すると共に、電界リストにおける希望波・妨害波をそれぞれ発生させる局の局コード及びｃｈリストから、検討局の受信ｃｈを特定する。そして、特定した送信ｃｈ及び受信ｃｈを含む特定デジタル・アナログ送受信ｃｈ（信号ａ）を隣接ｃｈ抽出回路１２０へ出力する。
【００２７】
隣接ｃｈ抽出回路１２０は、信号ａを入力する。そして、隣接ｃｈ抽出回路１２０は、信号ａに含まれるデジタル受信ｃｈを参照し、このデジタル受信ｃｈに隣接するデジタル送信ｃｈ及びアナログ送信ｃｈの有無を判定する。すなわち、受信に使用するチャンネルの近辺に、送信に使用するチャンネルがないかを調べる。そして、この判定結果を送受信ｃｈリスト（信号ｂ）としてＳＦＮ放中・ＭＦＮ放中判定回路５５０及び決定回路６００へ出力する。
【００２８】
〔遅延時間演算部〕
遅延時間演算部２００は、遅延時間演算回路２１０を備えている。遅延時間演算回路２１０は、計算参照データメモリ７００内の遅延時間リスト及び電界リストを入力する。そして、遅延時間演算回路２１０は、電界リストを参照して、伝播距離より、希望波・妨害波をそれぞれ発生させる局から検討局までの間の伝播時間を計算する。尚、伝播速度は、予め設定されている。そして、遅延時間演算回路２１０は、伝播時間と遅延時間リストの電波発射遅延時間とを加算することにより到来時間を計算し、希望波及び妨害波の到来時間（信号ｃ）を中継方式判定部５００のＳＦＮ範囲演算回路５４０へ出力する。また、遅延時間演算回路２１０は、電界リストのメディア（信号ｃ）もＳＦＮ範囲演算回路５４０へ出力する。
【００２９】
〔希望波電界計算部〕
希望波電界計算部３００は、フェージング演算回路３１０及び希望波電界演算回路３２０を備えている。フェージング演算回路３１０は、計算参照データメモリ７００内の電界リストを入力する。そして、フェージング演算回路３１０は、従来からフェージングマージンの計算に用いられている表（以下、「フェージング表」という。）を用い、電界リストにおける希望波の伝播距離よりフェージングマージンを、その９９．９％カーブから算出し、ダウンフェージング値Ｆｍ１（信号ｄ）をＤ／Ｕ演算回路５３０へ出力する。
【００３０】
希望波電界演算回路３２０は、計算参照データメモリ７００内の電界リストを入力する。そして、希望波電界演算回路３２０は、電界リストより希望波の到来電界値（信号ｅ）をＤ／Ｕ演算回路５３０へ出力する。
【００３１】
〔妨害波電界計算部〕
妨害波電界計算部４００は、フェージング演算回路４１０及び妨害波電界演算回路４２０を備えている。フェージング演算回路４１０は、計算参照データメモリ７００内の電界リストを入力する。そして、フェージング演算回路４１０は、電界リストの伝播路種別及び妨害波の伝播距離を参照し、伝播路種別において伝播路が陸上である場合フェージング表の９８．５％カーブを用い、伝播路が海上である場合９９．９％カーブを用いてフェージングマージンを算出し、アップフェージング値を出力する。そして、フェージング演算回路４１０は、算出したアップフェージング値に対応する電界値（アップフェージング時における電界値）と電界リストの自由空間電界強度の値を比較し、電界値が自由空間電界強度を越えないように制限を行ったアップフェージング値Ｆｍ２（信号ｆ）をＤ／Ｕ演算回路５３０へ出力する。
【００３２】
妨害波電界演算回路４２０は、計算参照データメモリ７００内の電界リストを入力する。そして、妨害波電界演算回路４２０は、電界リストより妨害波の到来電界値（信号ｇ）をＤ／Ｕ演算回路５３０へ出力する。
【００３３】
〔中継方式判定部〕
中継方式判定部５００は、実測値入力部５１０、空中線入力部５２０、Ｄ／Ｕ演算回路５３０、ＳＦＮ範囲演算回路５４０、ＳＦＮ放中・ＭＦＮ放中判定回路５５０、中継方式・補償器演算回路５６０、表示回路５７０及び計算結果検討回路５８０を備えている。
【００３４】
実測値入力部５１０は、実測した希望波及び妨害波の電界値、ダウンフェージング値、アップフェージング値が入力される。空中線入力部５２０は、オペレータの入力操作によって、処理を行う受信空中線が入力される。Ｄ／Ｕ演算回路５３０は、空中線入力部５２０により入力された受信空中線について、実測値入力部５１０から実測値の入力があった場合は、実測値入力部５１０から実測した希望波及び妨害波の電界値等を入力する。一方、空中線入力部５２０により入力された受信空中線について、実測値入力部５１０から実測値の入力がなかった場合は、フェージング演算回路３１０からダウンフェージング値Ｆｍ１（信号ｄ）を、希望波電界演算回路３２０から希望波の到来電界値（信号ｅ）を、フェージング演算回路４１０からアップフェージング値Ｆｍ２（信号ｆ）を、妨害波演算回路４２０から妨害波の到来電界値（信号ｇ）を入力する。そして、Ｄ／Ｕ演算回路５３０は、空中線入力部５２０により入力された受信空中線の指向性を用いてフェージング時のＤ／Ｕ計算を行い、全ての妨害波のＤ／Ｕ値（信号ｈ）をＳＦＮ範囲演算回路５４０へ出力する。
【００３５】
ここで、Ｄ／Ｕ値の計算は、以下のように行う。時間率Ｔ％における希望波の電界強度Ｅｄ（Ｔ％）、妨害波の電界強度をＥｕ（Ｔ％）、それぞれの時間率９９．９％におけるフェージングマージンをＦｍ１，Ｆｍ２、妨害波方向の受信アンテナの指向性減衰量をＬとする。また、希望波とそれぞれの妨害波は、別の伝播路を伝播してくるものとして、２波の電界強度の相関係数を０とする。このときの時間率９９．９％におけるＤ／Ｕ値、すなわちＤ／Ｕ（９９．９％）は、次の計算式により算出される。
Ｄ／Ｕ（９９．９％）＝Ｅｄ（５０％）−Ｅｕ（５０％）＋Ｌ−√｛Ｆｍ１２＋Ｆｍ２２｝
ここで、Ｅｄ（５０％），Ｅｕ（５０％）は、時間率５０％における希望波及び妨害波の電界強度をそれぞれ表しており、これらは、平常時の電界強度を意味する。
【００３６】
ＳＦＮ範囲演算回路５４０は、遅延時間演算回路２１０から希望波及び妨害波の到来時間並びにメディア（信号ｃ）を、Ｄ／Ｕ演算回路５３０から妨害波のＤ／Ｕ値（信号ｈ）を入力する。そして、ＳＦＮ範囲演算回路５４０は、信号ｃに含まれるメディアを参照し、アナログ妨害波及びデジタル妨害波を抽出する。そして、抽出したデジタル妨害波について、希望波及び妨害波の到来時間からその妨害波の希望波に対しての遅延時間を算出し、各デジタル妨害波のＤ／Ｕ値と妨害波をできるだけ多く取り込めるように、ＦＦＴウィンドウ位置を設定する。そして、ＳＦＮ範囲演算回路５４０は、デジタル妨害波から、ＳＦＮ妨害波を抽出する。ここで、ＳＦＮ妨害波とは、希望波と同じメディアでかつ同じチャンネルのデジタル妨害波を指す。このようにして、ＳＦＮ範囲演算回路５４０は、妨害波を、アナログ妨害波、ＳＦＮ妨害波及びＳＦＮ妨害波以外のデジタル妨害波に判別した情報及びＤ／Ｕ値（信号ｉ）を出力する。
【００３７】
また、ＦＦＴウィンドウ位置の設定は、例えば以下のように行う。まず、ＦＦＴウィンドウの幅は１００μｓとする。これは、補償器が等化できる遅延時間（ガードインターバル長の９／１０）と遅延調整作業の精度（±５μｓ）を考慮して、確実に等化可能な範囲として設定した値である。ＦＦＴウィンドウは、ＦＦＴウィンドウの先頭位置を−１００μｓから＋１００μｓまで変化させたときの、ＳＦＮ波の総合Ｄ／Ｕ値（希望波とＦＦＴウィンドウに含まれるＳＦＮ波の電力加算とのＤ／Ｕ値）が最小となる位置に設定する。
【００３８】
ＳＦＮ放中・ＭＦＮ放中判定回路５５０は、隣接ｃｈ抽出回路１２０から、送受信ｃｈリスト（信号ｂ）を入力する。そして、ＳＦＮ放中・ＭＦＮ放中判定回路５５０は、送受信ｃｈリストより、送信チャンネルと受信チャンネルが同じ場合をＳＦＮ放送中継として、そうでない場合をＭＦＮ放送中継として、ＳＦＮ放中・ＭＦＮ放中の判定情報（信号ｊ）を中継方式・補償器演算回路５６０へ出力する。
【００３９】
中継方式・補償器演算回路５６０は、ＳＦＮ範囲演算回路５４０から、アナログ妨害波、ＳＦＮ妨害波及びＳＦＮ妨害波以外のデジタル妨害波に判別した情報及びＤ／Ｕ値（信号ｉ）を、ＳＦＮ放中・ＭＦＮ放中判定回路５５０から、ＳＦＮ放中・ＭＦＮ放中の判定情報（信号ｊ）を入力する。そして、中継方式・補償器演算回路５６０は、信号ｊを参照し、ＭＦＮ放中であれば、図２に示す判定情報に従って補償器の判定を行い、ＳＦＮ放中であれば、図３に示す判定情報に従って補償器の判定を行う。そして、中継方式・補償器演算回路５６０は、判定された補償器で対応可能な条件を満たしているか、予め設定されたデータに基づいて確認する。例えば、図２に示す判定情報に従って、補償器として同一ｃｈ除去装置が選択された場合、妨害波の大きさ（Ｄ／Ｕ）、電界リストの伝播方向などを考慮して、同一ｃｈ除去装置が使用できるか否かを判定する。補償器の補償動作条件を満たすことができない場合は、中継方式・補償器演算回路５６０は、放送波中継ではなく、ＴＴＬ中継を選択する。そして、中継方式・補償器演算回路５６０は、放送波中継かＴＴＬ中継かを示す中継方式及び放送波中継である場合に用いる補償器の種別情報（信号ｋ）を、表示回路５７０へ出力する。
【００４０】
表示回路５７０は、中継方式・補償器演算回路５６０から中継方式及び補償器の種別情報（信号ｋ）を入力し、画面に表示する。これにより、オペレータは、画面に表示された中継方式及び補償器の種別情報を視認することができ、設備として最適であるか否かを検討することができる。
【００４１】
計算結果検討回路５８０は、表示回路５７０により表示された中継方式及び補償器の種別情報に対するオペレータの検討結果が、オペレータの操作によって入力される。この場合、オペレータは、例えば、受信空中線や補償器のコストがより安価になるか否かの観点で検討する。そして、計算結果検討回路５８０は、オペレータの検討結果として再度の処理を行う場合には、空中線入力部５２０による空中線の変更や実測値入力部５１０による妨害波の実測値の入力を行うための再度の処理の指示（信号ｍ）をＤ／Ｕ演算回路５３０に出力する。これにより、計算結果検討回路５８０は、中継方式・補償器演算回路５６０から出力された中継方式及び補償器の種別が、一定の条件を満たすまで、実測値入力部５１０、空中線入力部５２０、Ｄ／Ｕ演算回路５３０、ＳＦＮ範囲演算回路５４０、ＳＦＮ放中・ＭＦＮ放中判定回路５５０、中継方式・補償器演算回路５６０及び表示回路５７０における処理の実行を、選択された受信空中線以外の他の受信空中線について開始させる。ここで、「一定の条件」とは、上述したように、受信空中線や補償器のコストがより安価になることなどを指す。以下の説明においては、受信空中線や補償器のコストがより安価になった状態を、一定の条件を満たした最適な結果であるとして説明する。計算結果検討回路５８０は、中継方式及び補償器の種別が最適な結果となるまで、再度の処理を繰り返し、その結果（信号ｌ）を、決定回路６００へ出力する。
【００４２】
尚、上述の例では、計算結果検討回路５８０は、オペレータの操作によって検討結果が入力され、一定の条件を満たしているか否かの判定をしているが、オペレータの操作ではなく、予め設定された計算式に従って、表示回路５７０により表示された中継方式及び補償器の種別情報に基づいて受信空中線や補償器のコストなどを算出し、一定の条件を満たしているか否かの判定をするようにしてもよい。
【００４３】
〔決定回路〕
決定回路６００は、計算結果検討回路５８０から最適な中継方式及び補償器種別情報（信号ｌ）を、隣接ｃｈ抽出回路１２０から送受信ｃｈリスト（信号ｂ）を入力し、これらの情報を表示する。すなわち、決定回路６００は、最終的に最適であると判定された、検討局の中継方式及び補償器種別、隣接ｃｈの関係を画面に表示する。これにより、オペレータは、画面に表示された、最終的に最適であると判定された中継方式及び補償器の種別などの情報を視認することができる。
【００４４】
以上のように、本発明の実施形態による地上デジタル放送回線干渉評価装置１によれば、予め設定されたｃｈリスト、遅延時間リスト及び電界リストを用いることにより、デジタル中継放送所について、放送波中継またはＴＴＬ中継のどちらを用いるかという中継方式の判定と、電波の劣化を補償する補償器種別の判定とを行う作業時間の大幅な短縮化を図ることができる。従来は、中継方式や補償器種別の判定は、人間によって行われており、例えば、１つの中継放送所の計算に１０分かかっていたが、本発明の実施形態による地上デジタル放送回線干渉評価装置１によれば、５秒以下で計算結果が表示されるようになる。また、放送波中継において劣化原因となる妨害波がどの妨害波であり、その電界、到来方向、伝播路がデジタル波、アナログ波、ＳＦＮ波別に表示させることができるため、問題点を明瞭に把握することができる。
【００４５】
また、本発明の実施形態による地上デジタル放送回線干渉評価装置１によれば、ＳＦＮ放中・ＭＦＮ放中の違いに応じて、図２及び図３に示した異なる判定情報に基づいて中継方式及び補償器の種別を判定するようにした。これにより、より最適な中継方式及び補償器の種別を判定することができる。
【００４６】
また、本発明の実施形態による地上デジタル放送回線干渉評価装置１によれば、中継方式及び補償器の種別に加え、送受信ｃｈリスト（信号ｂ）も表示することができる。このように、隣接チャンネルの関係も表示されるため、オペレータである人間は隣接チャンネルの関係についても見落とすことがなくなる。
【００４７】
また、本発明の実施形態による地上デジタル放送回線干渉評価装置１によれば、実測値を入力しない場合、電界リストを用いて、妨害波のＤ／Ｕ値（信号ｈ）を演算することができる。このため、実測を行うことができない場合でも、正確な妨害波のＤ／Ｕ値を得ることができる。
【００４８】
尚、デジタル放送回線干渉評価装置１は、ＣＰＵ、ＲＡＭ等の揮発性の記憶媒体、ＲＯＭ等の不揮発性の記憶媒体、及びインターフェース等を備えたコンピュータによって構成される。デジタル放送回線干渉評価装置１に備えたｃｈ関係抽出部１００、遅延時間演算部２００、希望波電界計算部３００、妨害波電界計算部４００、中継方式判定部５００及び決定回路６００の各機能は、これらの機能を記述したプログラムをＣＰＵに実行させることによりそれぞれ実現される。また、これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもできる。
【００４９】
以上、実施形態を挙げて本発明を説明したが、本発明は前記実施形態に限定されるものではなく、その技術思想を逸脱しない範囲で種々変形可能である。例えば、前記実施形態では、地上デジタル放送回線評価装置の各構成部を回路によって構成したが、ソフトウェアによって構成してもよい。また、前記実施形態では、計算参照データメモリ７００は、ｃｈリスト、遅延時間リスト及び電界リストの３種類のリストを有すると説明したが、必ずしも３種類に分ける必要はなく、１つのリストにすべての情報を記述してもよいし、より多くのリストに分けて記述してもよい。
【図面の簡単な説明】
【００５０】
【図１】本発明の実施形態による地上デジタル放送回線干渉評価装置の構成を示すブロック図である。
【図２】ＭＦＮ放送中継である場合の中継方式及び補償器を判定するための判定情報を示す図である。
【図３】ＳＦＮ放送中継である場合の中継方式及び補償器を判定するための判定情報を示す図である。
【符号の説明】
【００５１】
１  地上デジタル放送回線干渉評価装置
１００  ｃｈ関係抽出部
１１０  送受信ｃｈ抽出回路
１２０  隣接ｃｈ抽出回路
２００  遅延時間演算部
２１０  遅延時間演算回路
３００  希望波電界計算部
３１０  フェージング演算回路
３２０  希望波電界演算回路
４００  妨害波電界計算部
４１０  フェージング演算回路
４２０  妨害波電界演算回路
５００  中継方式判定部
５１０  実測値入力部
５２０  空中線入力部
５３０  Ｄ／Ｕ演算回路
５４０  ＳＦＮ範囲演算回路
５５０  ＳＦＮ放中・ＭＦＮ放中判定回路
５６０  中継方式・補償器演算回路
５７０  表示回路
５８０  計算結果検討回路
６００  決定回路
７００  計算参照データメモリ
【図１】
2010028593.tif 000003
【図２】
2010028593.tif 000004
【図３】
2010028593.tif 000005